(57)【要約】【課題】本発明は、血圧計に関し、例えば家庭用の血圧計に適用して、自宅療養の患者等にあっても、確実に投薬の効果を確認することができるようにする。【解決手段】本発明は、薬を服用した後の経過時間を血圧測定結果と共に記録する。【選択図】　　　　図１
2004105397.tif 000002
【特許請求の範囲】
【請求項１】
薬の服用を検出する検出手段と、
前記検出手段による検出結果に基づいて、前記薬を服用した後の時間経過を計測するタイマと、
血圧を測定する血圧測定手段と、
前記血圧測定手段で測定した血圧値と、前記タイマによる経過時間とを記録するメモリと
を備えることを特徴とする血圧計。
【請求項２】
前記タイマによる時間経過に基づいて、前記血圧測定手段による血圧の測定を促す警告を出力する警告手段を有する
ことを特徴とする請求項１に記載の血圧計。
【発明の詳細な説明】
【０００１】
【発明の属する技術分野】
本発明は、血圧計に関し、例えば家庭用の血圧計に適用することができる。本発明は、薬を服用した後の経過時間を血圧測定結果と共に記録することにより、自宅療養の患者等にあっても、確実に投薬の効果を確認することができるようにする。
【０００２】
【従来の技術】
従来、医療現場においては、薬を服用した後、一定の時間を経過して血圧を測定することにより、投薬の効果を確認するようになされている。このため病院においては、投薬の時間、血圧測定の時間によるスケジュールを入院患者毎に用紙に記録し、このスケジュールに従って投薬等の作業を実行し、さらには測定結果をこの用紙に書き込むようになされている。
【０００３】
このような投薬後の血圧の監視においては、入院患者だけでなく、自宅療養の患者についても実行することが望まれる。このため例えば特開２００２−９５６４１号公報、特開２００１−２９７１５５号公報に開示の手法においては、自宅で測定した血圧を各種医療行為に役立てる方法が提案されるようになされている。
【０００４】
【特許文献１】
特開２００２−９５６４１号公報
【特許文献２】
特開２００１−２９７１５５号公報
【０００５】
【発明が解決しようとする課題】
ところが薬を服用した後、一定時間を経過して血圧を測定するように自宅療養の患者に指示しても、実際上、確実にこれらの作業を実行することが困難なことにより、投薬の効果を確実に確認できない問題がある。
【０００６】
すなわち患者によっては、薬を服用した後、血圧測定を忘れる場合がある。また本来の血圧を測定すべき時間とは異なる時間に、血圧を測定する場合も考えられる。また甚だしい場合には、故意に血圧測定を避けている場合も考えられる。
【０００７】
本発明は以上の点を考慮してなされたもので、自宅療養の患者等にあっても、確実に投薬の効果を確認することができる血圧計を提案しようとするものである。
【０００８】
【課題を解決するための手段】
かかる課題を解決するため請求項１の発明においては、薬の服用を検出する検出手段と、前記検出手段による検出結果に基づいて、前記薬を服用した後の時間経過を計測するタイマと、血圧を測定する血圧測定手段と、前記血圧測定手段で測定した血圧値と、前記タイマによる経過時間とを記録するメモリとを備えるようにする。
【０００９】
また請求項２の発明においては、請求項１の構成において、前記タイマによる時間経過に基づいて、前記血圧測定手段による血圧の測定を促す警告を出力する警告手段を有するようにする。
【００１０】
請求項１の構成によれば、薬の服用を検出する検出手段と、前記検出手段による検出結果に基づいて、前記薬を服用した後の時間経過を計測するタイマと、血圧を測定する血圧測定手段と、前記血圧測定手段で測定した血圧値と、前記タイマによる経過時間とを記録するメモリとを備えることにより、薬を服用した後、本来の血圧を測定すべき時間とは異なる時間で血圧を測定した場合でも、メモリの記録より、薬を服用した後の時間経過を確認することができる。これにより薬を服用した後、薬の効果が表れないうちに測定した測定結果、薬を服用した後、十分に時間経過して薬の効果が薄れた状態で測定した測定結果等を考慮して、測定結果を判断することができ、これにより自宅療養の患者等にあっても、確実に投薬の効果を確認することができる。
【００１１】
また請求項２の構成によれば、請求項１の構成において、前記タイマによる時間経過に基づいて、前記血圧測定手段による血圧の測定を促す警告を出力する警告手段を有するようにすることにより、薬を服用した後、血圧測定を忘れている場合、故意に血圧測定を避けている場合に、血圧の測定を促すことができ、その分、例えば一定期間の継続した投薬について、自宅療養の患者等にあっても、確実に投薬の効果を確認することができる。
【００１２】
【発明の実施の形態】
以下、適宜図面を参照しながら本発明の実施の形態を詳述する。
【００１３】
（１）第１の実施の形態
（１−１）第１の実施の形態の構成
図１は、本発明の第１の実施の形態に係る家庭用の血圧計を示すブロック図である。ここで血圧計１は、患者の手首に巻き付けて保持できるようにカフ２が構成され、カフ２の外周側に本体装置３を配置して構成される。血圧計１は、このカフ２を患者の手首に巻き付けて、常時、患者が携帯するようになされている。
【００１４】
ここで本体装置３において、電源４は、乾電池又はＡＣアダプターの電源よりこの血圧計１の各部に電源を供給する。ポンプ５は、コントロール部６の制御により動作してカフ２に空気を注入し、カフ２が巻き付けられてなる患者の手首を圧迫するようになされている。排気弁７は、コントロール部６の制御により動作し、カフ２に注入された空気を徐々に流出させ、これにより患者の手首を圧迫するカフ２の圧力を減少させるようになされている。圧力センサ８は、このようにカフ２に注入された空気による圧力を検出して圧力検出信号Ｓ１をコントロール部６に出力する。これによりこの血圧計１では、患者の手首よりカフ２が受ける圧力を圧力センサ８により検出して、この圧力センサ８による圧力検出信号Ｓ１によりコントロール部６で患者の脈拍を測定できるようになされ、さらにはこのカフ２による手首の押圧力を変化させて最高血圧、最低血圧をコントロール部６で測定できるようになされている。
【００１５】
液晶表示部１０は、コントロール部６の制御によりこの本体装置３による各種の測定結果、メッセージを表示する。アラーム１１は、コントロール部６の制御により、所定の時点で警告音を発生させる。タイマ１２は、コントロール部６の制御により起動し、時間情報をコントロール部６に通知する。インターフェース（Ｉ／Ｆ）１３は、例えばＵＳＢ（Ｕｎｉｖｅｒｓａｌ　Ｓｅｒｉａｌ　Ｂｕｓ）等の入出力回路であり、この血圧計１では、このインターフェース１３を介して例えば病院のコンピュータに接続されて、測定結果をアップロードできるようになされ、また投薬した後、血圧を測定するまでの時間を設定できるようになされている。
【００１６】
メモリ１４は、コントロール部６における処理プログラム、血圧測定結果、インターフェース１３を介して入力される投薬した後、血圧を測定するまでの時間（以下、測定時間と呼ぶ）を記録して保持する。イベントスイッチ１５は、タイマ１２を起動させるスイッチであり、患者による押圧操作がコントロール部６に通知されるようになされている。この血圧計１では、薬を服用した際にこのイベントスイッチ１５を操作するように患者に対して医師が指示するようになされている。スタートスイッチ１６は、この血圧計１により血圧の測定を指示する操作子であり、患者による押圧操作がコントロール部６に通知されるようになされている。
【００１７】
コントロール部６は、この血圧計１の動作を制御するコンピュータであり、圧力検出信号Ｓ１をアナログディジタル変換処理して入力するアナログディジタル変換回路、液晶表示部１０を駆動する駆動回路等を有するようになされている。コントロール部６は、イベントスイッチ１５、スタートスイッチ１６の操作に応動してメモリ１４に保持した処理プログラムを実行することにより、所定の処理手順を実行して各部の動作を制御するようになされている。
【００１８】
図２は、イベントスイッチ１５の操作をトリガにしたコントロール部６の処理手順を示すフローチャートである。コントロール部６は、この処理手順において、ステップＳＰ１からステップＳＰ２に移り、イベントスイッチ１５の操作を検出し、続くステップＳＰ３でタイマ１２をスタートさせる。これによりコントロール部６は、患者が薬を服用した後の時間経過をタイマ１２で計測するようになされている。
【００１９】
続いてコントロール部６は、ステップＳＰ４に移り、タイマ１２による時間計測結果がメモリ１４に記録した測定時間となったか否か判断し、ここで否定結果が得られると、ステップＳＰ４を繰り返す。これに対してタイマ１２による時間計測結果がメモリ１４に記録した測定時間になると、ステップＳＰ４からステップＳＰ５に移り、アラーム１１を駆動すると共に、液晶表示部１０に所定のメッセージを表示する。ここでこのメッセージにおいては、血圧の測定を促すメッセージである。これによりコントロール部６は、薬を服用した後、メモリ１４に記録した測定時間だけ経過すると、血圧の測定を患者に指示するようになされている。
【００２０】
このようにしてアラームを駆動し、またメッセージを表示すると、コントロール部６は、ステップＳＰ６に移り、メモリ１４に記録された測定時間の全てについて、アラームの出力を終了したか否か判断し、ここで否定結果が得られると、ステップＳＰ４に戻り、続く測定時間まで待機してアラーム１１を駆動する。これに対してステップＳＰ６で肯定結果が得られると、ステップＳＰ６からステップＳＰ７に移ってこの処理手順を終了する。
【００２１】
これによりコントロール部６は、例えば３０分単位で複数の計測時間がメモリ１４に記録されている場合、薬を服用して３０分経過する毎に、血圧の測定を患者に促すようになされている。
【００２２】
これに対して図３は、このようにして血圧の測定を患者に促して、患者によりスタートスイッチ１６が操作された場合の処理手順を示すフローチャートである。コントロール部６は、この場合、ステップＳＰ１１からステップＳＰ１２に移り、スタートスイッチ１６の操作を検出する。続いてコントロール部６は、ステップＳＰ１３に移り、ポンプ５等を駆動して血圧、脈拍を測定し、測定結果を液晶表示部１０に表示する。また続くステップＳＰ１４において、タイマ１２より経過時間を取得し、この経過時間と測定結果とをメモリ１４に記録する。
【００２３】
これによりコントロール部６は、薬を服用した後の経過時間と、血圧測定結果とをメモリ１４に記録して保持する。コントロール部６は、続いてステップＳＰ１５に移り、メモリ１４に記録された測定時間の全てについて、血圧の測定を完了したか否か判断し、ここで否定結果が得られると、ステップＳＰ１６に移ってこの処理手順を終了する。これに対してステップＳＰ１５で肯定結果が得られると、ステップＳＰ１７に移り、タイマ１２の動作を停止した後、ステップＳＰ１６に移ってこの処理手順を終了する。
【００２４】
これらによりこの血圧計１において、イベントスイッチ１５は、薬の服用を検出する検出手段を構成し、タイマ１２は、この検出手段による検出結果に基づいて、薬を服用した後の時間経過を計測するタイマを構成するようになされている。またカフ２、ポンプ５、排気弁７、圧力センサ８、コントロール部６は、血圧を測定する血圧測定手段を構成し、メモリ１４は、この血圧測定手段で測定した血圧値と、タイマによる経過時間とを記録するメモリを構成するようになされている。
【００２５】
（１−２）第１の実施の形態の動作
以上の構成において、この血圧計１では、患者が病院に赴き薬の処方を受ける際に、インターフェース１３を介して病院のコンピュータに接続され、薬を服用した後、血圧を測定するまでの測定時間がメモリ１４に記録される。
【００２６】
その後、血圧計１は、患者の手首に保持され、薬を服用するときに、患者によりイベントスイッチ１５が操作される。これにより血圧計１は、タイマ１２により薬を服用した後の経過時間が計測され、この経過時間が、病院で設定された測定時間になると、アラーム１１により警告音が出力され、また液晶表示部１０に血圧の測定を促すメッセージが表示される。これにより患者に対して、薬を服用した後、血圧測定を忘れている場合、さらには故意に血圧測定を避けている場合に、血圧の測定を促すことができ、その分、例えば一定期間の継続した投薬について、自宅療養の患者等にあっても、確実に投薬の効果を確認することができる。
【００２７】
かくするにつき、このようにして血圧測定のタイミングが通知された場合、患者においては、例えば着座した安静な状態で、スタートスイッチ１６を操作することになり、このスタートスイッチ１６の操作により、血圧計１では、ポンプ５によりカフ２に空気が送り込まれ、圧力センサ８から出力される圧力検出信号Ｓ１によりコントロール部６で最高血圧が測定される。またその後、排気弁７によりカフ２の空気を流出させて、圧力検出信号Ｓ１によりコントロール部６で最低血圧が測定される。またこれらと同時に脈拍が測定される。
【００２８】
血圧計１では、このようにして得られる測定結果が液晶表示部１０に表示され、また薬を服用した後の経過時間と共に、メモリ１４に記録されて蓄積される。さらに次回、病院に通院した際に、インターフェース１３を介して病院のコンピュータに、メモリ１４の記録がアップロードされ、これにより例えばこのコンピュータで測定結果、経過時間を表示して薬効が確認される。
【００２９】
この一連の処理において、測定結果においては、薬を服用した後の時間経過と共にメモリ１４に記録されていることにより、例えば本来の血圧を測定すべき時間とは異なる時間で血圧を測定して、薬の効果が表れないうちに測定した測定結果、十分に時間経過して薬の効果が薄れた状態で測定した測定結果等についても確実に判断することができ、これにより自宅療養の患者等にあっても、確実に投薬の効果を確認することができる。
【００３０】
（１−３）第１の実施の形態の効果
以上の構成によれば、薬を服用した後の経過時間を血圧測定結果と共に記録することにより、自宅療養の患者等にあっても、確実に投薬の効果を確認することができる。
【００３１】
また薬を服用した後の時間経過に基づいて、血圧の測定を促す警告を出力することにより、血圧測定を忘れている場合、故意に血圧測定を避けている場合に、血圧の測定を促すことができ、その分、例えば一定期間の継続した投薬について、自宅療養の患者等にあっても、確実に投薬の効果を確認することができる。
【００３２】
（２）第２の実施の形態
この実施の形態においては、現在時刻をタイマ１２により常時計測し、この現在時刻によりイベントスイッチ１５が操作された時刻、測定時間の経過、スタートスイッチ１６による血圧測定の時刻を検出する。さらにこれらイベントスイッチ１５が操作された時刻、血圧測定の時刻をメモリ１４に記録することにより、薬を服用した後、血圧測定の経過時間をメモリ１４に記録する。またこのタイマ１２による現在時刻の監視機構を有効に利用して、アラーム１１の駆動により、また液晶表示部１０へのメッセージの表示により、薬を服用するタイミングをユーザーに通知する。
【００３３】
なおこの実施の形態においては、これらタイマに係る時間情報の処理が異なる点を除いて、第１の実施の血圧計１と同一に構成される。
【００３４】
この実施の形態によれば、タイマによる現在時刻によりイベントスイッチ１５が操作された時刻、血圧測定の時刻をメモリ１４に記録することにより、薬を服用した後、血圧測定の経過時間をメモリ１４に記録するようにしても、第１の実施の形態と同様の効果を得ることができる。
【００３５】
またこのタイマ１２による現在時刻の監視機構を有効に利用して、薬を服用するタイミングをユーザーに通知することにより、薬の服用を忘れないようにすることができ、これにより例えば一定期間の継続した投薬について、自宅療養の患者等にあっても、確実に投薬の効果を確認することができる。
【００３６】
（３）第３の実施の形態
この実施の形態に係る血圧計は、ピルケースが一体に設けられ、このピルケースに薬が収納されるようになされている。血圧計は、薬を取り出すために、ピルケースを回転させると、イベントスイッチ１５が動作するように構成される。これによりこの血圧計では、薬を服用する場合には、必ずイベントスイッチ１５が動作し、薬を服用する患者の動作に応動してタイマを起動するようになされ、これによりイベントスイッチ１５の押し忘れを有効に回避するようになされている。なおこの実施の形態においては、このイベントスイッチ１５の構成が異なる点を除いて、第１の実施の形態と同様に構成される。
【００３７】
この実施の形態においては、薬を服用する患者の動作に応動してタイマを起動することにより、ユーザーによる血圧計の操作ミスを有効に回避し得、その分、さらに一段と確実に投薬の効果を確認することができる。
【００３８】
（４）他の実施の形態
なお上述の実施の形態においては、測定結果を表示すると共にメモリに記録する場合について述べたが、本発明はこれに限らず、必要に応じて測定結果の表示を省略するようにしてもよい。
【００３９】
また上述の実施の形態においては、血圧計を腕に装着して常時携帯する場合について場合について述べたが、本発明はこれに限らず、携帯して測定時のみ装着する場合、さらには自宅に保持して測定する場合等にも広く適用することができる。
【００４０】
【発明の効果】
上述のように本発明によれば、薬を服用した後の経過時間を血圧測定結果と共に記録することにより、自宅療養の患者等にあっても、確実に投薬の効果を確認することができるようにする。
【図面の簡単な説明】
【図１】本発明の第１の実施の形態に係る血圧計を示すブロック図である。
【図２】図１の血圧計におけるイベントスイッチの操作に係る処理手順を示すフローチャートである。
【図３】図１の血圧計におけるスタートスイッチの操作に係る処理手順を示すフローチャートである。
【符号の説明】
１……血圧計、２……カフ、３……本体装置、５……ポンプ、６……コントロール部、７……排気弁、８……圧力センサ、１２……液晶表示部、１４……メモリ、１５……イベントスイッチ、１６……スタートスイッチ
【図１】
2004105397.tif 000003
【図２】
2004105397.tif 000004
【図３】
2004105397.tif 000005